(57)【要約】      （修正有）【課題】衣服間あるいは衣服外部の機器との通信のために、光を媒介とし、織物形態で具現が可能なインターフェース方法およびその装置を提供する。【解決手段】インターフェースの両端は、織物内に光を発散する放出手段、発散された光を織物の上に広く広がるようにして光受信手段の受光範囲を拡大する光拡散手段１５０、および相手側の光信号を受信するための光受信手段を備えるそれぞれのインターフェース装置で構成され、赤外線や可視光線、レーザーなどのような光媒介で通信できる方法を提供する。装置は、衣服内のどんな部位にも適用でき、繊維と類似の光ファイバーを用いて製織可能であり、既存の織物ともよく融和して、衣服あるいはカバンなどのような織物を使って製作する多様な製品に適用可能で、電磁波による人体への影響が殆どなく、通信の保安性が優れ、衣服型コンピューティングシステムで効果的に適用可能なインターフェースである。【選択図】図１
2011071961.tif 000002
【特許請求の範囲】
【請求項１】
光通信を行う光通信インターフェース装置であって、
光データを送信することができる発光部、および織物と共に製織が可能で、前記発光部と接続して前記発光部による前記光データ送信時に光を拡散させる光拡散部を備えた織物構造を含むことを特徴とする光通信インターフェース装置。
【請求項２】
前記織物構造は、外部の光信号を受信する受光部をさらに含むことを特徴とする、請求項１に記載の光通信インターフェース装置。
【請求項３】
前記光拡散部は、薄い面の形態の光ファイバーであることを特徴とする、請求項１又は２に記載の光通信インターフェース装置。
【請求項４】
前記光拡散部は、光信号を広く拡散させることができるように光通信インターフェース装置上に前記発光部より広く分布されていることを特徴とする、請求項１又は２に記載の光通信インターフェース装置。
【請求項５】
前記光拡散部は、側面発光型プラスチック光ファイバーおよびＥＬワイヤーのうちいずれか一つ以上からなることを特徴とする、請求項１又は２に記載の光通信インターフェース装置。
【請求項６】
前記発光部が送信する光信号を生成する信号生成部をさらに備え、
前記信号生成部は、
送信データをチャネルエンコーディングする符号化器、および前記エンコーディングされたデータを変調して変調信号を発生させて、前記発光部に供給する変調器を含むことを特徴とする、請求項１又は２に記載の光通信インターフェース装置。
【請求項７】
前記受光部が受信する光信号を復元する信号復元部をさらに備え、
前記信号復元部は、
前記入力された光信号を復調して復調信号を発生させる復調器、および前記復調された信号の入力を受けてチャネルデコーディングする復号化器を含むことを特徴とする、請求項２に記載の光通信インターフェース装置。
【請求項８】
前記光通信インターフェース装置は、２以上の前記織物構造を含み、
前記光通信インターフェース装置内で前記織物構造間に光通信が可能になることを特徴とする、請求項１又は２に記載の光通信インターフェース装置。
【請求項９】
前記光通信インターフェース装置は、電子機器と通信が可能で、前記電子機器は、光データを送信することができる発光部、前記発光部と接続して前記発光部による前記光データ送信時に光を拡散させる光拡散部、および外部の光信号を受信する受光部を備えることを特徴とする、請求項１又は２に記載の光通信インターフェース装置。
【請求項１０】
前記光通信インターフェース装置は、前記織物構造を含む物品と光通信が可能であることを特徴とする、請求項１又は２に記載の光通信インターフェース装置。
【請求項１１】
前記光通信インターフェース装置には、光通信の対象を制御するための制御信号を発生させる織物型ボタンが付着していることを特徴とする、請求項１又は２に記載の光通信インターフェース装置。
【請求項１２】
前記発光部の信号は、赤外線、可視光線、およびレーザーのうちいずれか一つであることを特徴とする、請求項１又は２に記載の光通信インターフェース装置。
【請求項１３】
光通信インターフェース装置と光通信を行う電子機器であって、
光データを送信することができる発光部、および前記発光部と接続して前記発光部による前記光データ送信時に光を拡散させる光拡散部を含むことを特徴とする電子機器。
【請求項１４】
外部の光信号を受信する受光部をさらに含むことを特徴とする、請求項１３に記載の電子機器。
【請求項１５】
前記光拡散部は、光信号を広く拡散させることができるように前記発光部より広く分布されていることを特徴とする、請求項１３又は１４に記載の電子機器。
【請求項１６】
前記光拡散部は、側面発光型プラスチック光ファイバーおよびＥＬワイヤーのうちいずれか一つ以上からなることを特徴とする、請求項１３又は１４に記載の電子機器。
【請求項１７】
前記発光部が送信する光信号を生成する信号生成部をさらに備え、
前記信号生成部は、
送信データをチャネルエンコーディングする符号化器、および前記エンコーディングされたデータを変調して変調信号を発生させて、前記発光部に供給する変調器を含むことを特徴とする、請求項１３又は１４に記載の電子機器。
【請求項１８】
前記受光部が受信する光信号を復元する信号復元部をさらに備え、
前記信号復元部は、
前記入力された光信号を復調して復調信号を発生させる復調器、および前記復調された信号の入力を受けてチャネルデコーディングする復号化器を含むことを特徴とする、請求項１４に記載の電子機器。
【請求項１９】
前記受光部、発光部および光拡散部を各々２以上含んでいることを特徴とする、請求項１３又は１４に記載の電子機器。
【請求項２０】
前記発光部の信号は、赤外線、可視光線、およびレーザーのうちいずれか一つであることを特徴とする、請求項１３又は１４に記載の電子機器。
【発明の詳細な説明】
【技術分野】
【０００１】
本発明は、衣服型コンピューティングシステムにおける織物基盤の通信インターフェースに関し、より詳しくは、衣服型コンピューティングシステムにおいて光を用いて通信する織物基盤のインターフェース装置に関する。
【背景技術】
【０００２】
コンピューティング技術が発展するに伴い、多様な形態の個人化コンピューティング環境を提供するための研究活動が活発に進められてきており、特に衣服型および着用型コンピュータを研究するウェアラブルコンピューティングは、次世代コンピューティング技術の核心分野として議論されてきた。このようなウェアラブルコンピュータ分野で、衣服のようなシステム内外部に散在している多様な機器との通信のための通信手段の必要性が台頭し、ＰＡＮ（Ｐｅｒｓｏｎａｌ  Ａｒｅａ  Ｎｅｔｗｏｒｋ）、ＦＡＮ（Ｆａｂｒｉｃ  Ａｒｅａ  Ｎｅｔｗｏｒｋ）のような研究分野に発展するようになり、多様な方法が試みられてきた。
【０００３】
基本方法は、衣服での連結部分を着脱可能なソケット形態で構成して外部機器を連結する古典的な方式と、電磁波を用いた無線方式に大別することができる。着脱可能なソケット方式は、最も普遍的に使われる方式で、衣服内に内蔵されたソケットとモバイル機器をユーザが直接連結しなければならないため着脱が不便で、衣服のソケットコネクター部に対する防水処理に注意を払わなければならない短所がある。電磁波を用いた無線方式は、ＲＦ（Ｒａｄｉｏ  Ｆｒｅｑｕｅｎｃｙ）やジグビー（Ｚｉｇｂｅｅ）、ブルートゥース（Ｂｌｕｅｔｏｏｔｈ）のような既存の低電力近距離通信方式を用いるか、または電磁気誘導方式（Ｉｎｄｕｃｔｉｖｅ  Ｃｏｕｐｌｉｎｇ）を用いて織物型の誘導アンテナを設計して衣服形態に具現し、外部機器と着脱の便宜性は提供するが、電磁波に対する人体の影響と保安性に不備な点がある。
【先行技術文献】
【特許文献】
【０００４】
【特許文献１】米國特開2008-205035号公報
【発明の概要】
【発明が解決しようとする課題】
【０００５】
本発明は、前述した問題点を解決するために導き出されたものであって、外部機器と着脱なしで便利に連結可能であり、衣服の内外部間の通信を自由に利用するこができる、光を用いた新しい通信インターフェースの方法およびその装置を提供することにその目的がある。
【課題を解決するための手段】
【０００６】
本発明は、光通信を行う光通信インターフェース装置が、光データを送信することができる発光部、および織物と共に製織が可能で、前記発光部と接続して前記発光部による前記光データ送信時に光を拡散させる光拡散部を備えた織物構造を含むことを特徴とする。
【０００７】
また、前記織物構造は、外部の光信号を受信する受光部をさらに含むことを特徴とする。
【０００８】
また、前記光拡散部は、薄い面の形態の光ファイバーであることを特徴とする。
さらに、前記光拡散部は、光信号を広く拡散させることができるように光通信インターフェース装置上に前記発光部より広く分布していることを特徴とする。
【０００９】
一方、前記光拡散部は、側面発光型プラスチック光ファイバーおよびＥＬワイヤーのうちいずれか一つ以上からなることを特徴とする。
【００１０】
また、前記発光部が送信する光信号を生成する信号生成部をさらに備え、前記信号生成部は、送信データをチャネルエンコーディングする符号化器、前記エンコーディングされたデータを変調して変調信号を発生させて、前記発光部に供給する変調器を含むことを特徴とする。
【００１１】
さらに、前記受光部が受信する光信号を復元する信号復元部をさらに備え、前記信号復元部は、前記入力された光信号を復調して復調信号を発生させる復調器、および前記復調された信号の入力を受けてチャネルデコーディングする復号化器を含むことを特徴とする。
【００１２】
一方、前記光通信インターフェース装置は、２以上の前記織物構造を含み、前記光通信インターフェース装置内で前記織物構造間に光通信が可能であることを特徴とする。
【００１３】
そして、前記光通信インターフェース装置は、電子機器と通信が可能であり、前記電子機器は、光データを送信することができる発光部、前記発光部と接続して前記発光部による前記光データ送信時に光を拡散させる光拡散部、および外部の光信号を受信する受光部を備えることを特徴とする。
【００１４】
一方、前記光通信インターフェース装置は、前記織物構造を含む物品と光通信が可能であることを特徴とする。
【００１５】
また、前記光通信インターフェース装置には、光通信対象を制御するための制御信号を発生させる織物型ボタンが付着していることを特徴とする。
【００１６】
そして、前記発光部の信号は、赤外線、可視光線およびレーザーのうちいずれか一つであることを特徴とする。
【００１７】
一方、本発明は、光通信インターフェース装置と光通信を行う電子機器であって、光データを送信することができる発光部、および前記発光部と接続して前記発光部による前記光データ送信時に光を拡散させる光拡散部を含むことを特徴とする。
また、外部の光信号を受信する受光部をさらに含むことを特徴とする。
【００１８】
一方、前記光拡散部は、光信号を広く拡散させることができるように前記発光部より広く分布されていることを特徴とする。
そして、前記光拡散部は、側面発光型プラスチック光ファイバーおよびＥＬワイヤーのうちいずれか一つ以上からなることを特徴とする。
【００１９】
一方、前記発光部が送信する光信号を生成する信号生成部をさらに備え、前記信号生成部は、送信データをチャネルエンコーディングする符号化器、および前記エンコーディングされたデータを変調して変調信号を発生させて、前記発光部に供給する変調器を含むことを特徴とする。
【００２０】
また、前記受光部が受信する光信号を復元する信号復元部をさらに備え、前記信号復元部は、前記入力された光信号を復調して復調信号を発生させる復調器、および前記復調された信号の入力を受けてチャネルデコーディングする復号化器を含むことを特徴とする。
【００２１】
また、前記受光部、発光部および光拡散部を各々２以上含んでいる。
【００２２】
そして、前記発光部の信号は、赤外線、可視光線およびレーザーのうちいずれか一つであることを特徴とする。
【発明の効果】
【００２３】
本発明による方法およびその装置は、衣服型コンピューティングシステムのユーザに、人体に影響が殆どなく、織物形態で製織可能で、衣服型システムを具現するのに無理がないインターフェースを提供することにより、衣服内外部の機器だけでなく、外着と内着あるいは上衣と下衣のような衣服間の通信も可能で、便利に着脱可能なユーザ親和的なインターフェース方法を提供することができる。
【００２４】
また、本発明は、織物形態で製織可能なカバン、帽子などにも適用が可能であり、織物雑貨全てに対して適用することができる。
【００２５】
さらに、本発明は、ＲＦ使用が制限された病院、飛行機のような空間でも使用が可能であり、織物基盤で構成されているため、洗濯が容易という長所がある。
【図面の簡単な説明】
【００２６】
【図１】本発明の第１実施形態に係る衣服型コンピューティングシステムを説明するための例示図である。
【図２】本発明の第２実施形態に係る衣服型コンピューティングシステムを説明するための例示図である。
【図３】本発明の第３実施形態に係る衣服型コンピューティングシステムを説明するための例示図である。
【図４】図１の第１実施形態に係る衣服型コンピューティングシステムにおける発光部の動作を説明するためのブロック図である。
【図５】図２に係る第２実施形態における受光部の動作を説明するためのブロック図である。
【図６】図３に係る第３実施形態の動作を説明するためのブロック図である。
【図７】携帯端末と衣服間の動作を説明するためのブロック図である。
【発明を実施するための形態】
【００２７】
本発明ついて、添付の図面を参照して詳細に説明すれば、次の通りである。ここで、繰り返される説明、本発明の要旨を不要にぼやかし得る公知機能、および構成に関する詳細な説明は省略する。本発明の実施形態は、当業界で平均的な知識を有する者に本発明をより完全に説明するために提供されるものである。従って、図面における要素の形状および大きさなどは、より明確な説明のために誇張されることがあり得る。
【００２８】
また、本明細書で言及される織物は、衣服だけでなく、織物形態で製織することができるカバン、帽子、カーテン、テーブル掛けなどを全て含む。
以下、本発明の望ましい実施形態を添付の図面を参照して詳細に説明する。
【００２９】
＜第１実施形態＞
図１は、本発明の第１実施形態に係る衣服型コンピューティングシステムを説明するための図面である。図４は、衣服型コンピューティングシステムにおける光通信インターフェース衣服の構成を詳細に説明するためのブロック図である。
【００３０】
本発明の第１実施形態に係る衣服型コンピューティングシステムは、織物基盤の光インターフェース衣服１００（以下「衣服」という）およびモバイル機器（光通信の対象）１９０を備える。
【００３１】
図１を参照すると、衣服１００は収納部（例えばポケット）が形成され、そのポケット１１０にはユーザの携帯端末１９０が収納される。衣服の腕の部分にはモバイル機器１９０を制御するための織物型ボタン１６０が備えられている。前記ボタン１６０は、織物型で衣服１００に製織されているため洗濯が容易という長所がある。衣服１００のポケット１１０の内部には、光通信のための織物構造が形成される。前記織物構造は、織物型ボタン１６０で発生した制御信号を光通信を用いてモバイル機器１９０に伝達する機能をする。前記織物構造は、発光部１３０および光拡散部１４０を含む。前記発光部１３０は、光信号を発生させる部分であって、赤外線、ＬＥＤ光、レーザーなどのように一定の波長の光を発散する手段として備えられることができる。前記光拡散部１４０は、側面発光型プラスチック光ファイバーのような光ファイバーや光拡散板のように小さい光源から出てくる光源を広く伝達する手段であって、織物形態に製織が可能な手段として備えられることもでき、薄い紙のような面の形態で備えられることもできる。光拡散部１４０は、光を効率的に広く拡散させるために、円形やコイルのように巻かれた形態あるいはジグザグのような曲がった形態で衣服１００上に広く分布されることができる。このような方法により、光信号をより効果的かつ効率的に伝達することができるようになる。衣服１００を構成している織物１５０は、光学的通信をするために外部の自然光や人造光を遮断することができる程度の光透過率が低い織物で備えられることができ、これにより外部光の干渉が遮断された形態で、より低電力で光学的通信が行われるようになる。前記織物１５０は、光拡散部１４０と共に製織されることもできる。衣服１００のポケット１１０も、外部光源を遮断することができる程度の光透過率が低い織物で備えられることができる。前記モバイル機器１９０は、前記発光部、光拡散部を含むことができ、外部の光信号を受信する受光部１２０をさらに含むことができる電子機器、すなわち携帯電話、ＭＰ３、ＰＭＰなど多様なエンターテイメントモバイル機器で備えられることができる。
【００３２】
以下、図４を参考して、前記織物構造の動作を説明する。まずユーザがモバイル機器１９０を制御するために、衣服１００にある織物型ボタン１６０を押すと、入力信号４１０が発生する。符号化器４２０では前記ボタンで押した信号４１０の入力を受けて、前記信号データ４１０をチャネルエンコーディングする。この後、変調器４３０で前記チャネルエンコーディングされたデータを光信号に変調する。このように変調された光信号は、織物構造に伝えられ、織物構造の発光部１３０で発光する。前記発光部１３０で光信号が発光する時、光拡散部１４０によって光信号は広く拡散される。これは、光拡散部１４０が薄い面の形態で衣服上に広く分布しているためである。これにより、モバイル機器１９０がさらに効果的に光信号を受信することができるようになる。前記発光部１３０、光拡散部１４０および受光部１２０は、信号を増幅させるための増幅手段をさらに含むことができる。本実施形態では衣服と記載したが、衣服だけに限定されず、カバン、帽子、テーブル掛け、カーテンなどの織物構造が付着することができる物品ならばどんなものでもよい。
【００３３】
上記のように光信号を用いて通信をする衣服型コンピューティングシステムであるため、本発明による方法およびその装置は、衣服型コンピューティングシステムのユーザに、人体に影響が殆どなく、織物形態で製織可能で、衣服型システムを具現するのに無理がないインターフェースを提供することにより、衣服の内外部機器だけでなく、外着と内着あるいは上衣と下衣のような衣服間の通信も可能で、便利に着脱可能なユーザ親和的なインターフェース方法を提供することができる。
【００３４】
さらに、本発明は、ＲＦ使用が制限された病院、飛行機のような空間でも使用が可能であり、織物基盤で構成されているため洗濯が容易という長所がある。
【００３５】
＜第２実施形態＞
図２は、本発明の第２実施形態に係る衣服型コンピューティングシステムを説明するための例示図である。図５は、図２の受光部２２０，２２５での動作を説明するためのブロック図である。
【００３６】
本発明の第２実施形態に係る衣服型コンピューティングシステムは、織物基盤の光通信インターフェース衣服に付着する織物構造（２２５、２３０、２４０を含む織物構造）およびモバイル機器２９０を備える。
【００３７】
図２を参照すると、受光部２２５、発光部２３０、および光拡散部２４０は、織物２５０と共に製織され衣服に備えられる。第１実施形態とは異なり、前記織物構造は受光部２２５をさらに備える。前記織物構造は、織物型ボタンで発生した制御信号を光通信を用いてモバイル機器２９０に伝達する役割をするだけでなく、受光部２２５を通じてモバイル機器２９０で発生した信号を受信する役割もする。前記受光部２２５は、一種のセンサで構成され、前記受光部２２５がセンシングすることができる信号は、赤外線、ＬＥＤ光、レーザーなどのように一定の波長の光ならばどれでもよい。発光部２３０は、衣服で発生した信号をモバイル機器２９０に伝達する役割をする。発光のとき、光拡散部２４０を通じてさらに効率的にモバイル機器２９０に伝達するようになる。前記光拡散部２４０は、側面発光型プラスチック光ファイバーのような光ファイバーや光拡散板のように小さい光源から出てくる光源で広く伝達する手段であって、織物形態に製織が可能な手段として備えられることもでき、薄い紙のような面の形態で備えられることもできる。光拡散部２４０は、光を効率的に広く拡散させるために、円形やコイルのように巻かれた形で衣服上に広く分布されることができる。このような方法により、光信号をより効果的かつ効率的に伝達することができるようになる。一方、受光部２２５も前記光拡散部２４０と同じように広く分布し、センシング能力をさらに効果的かつ効率的にするように備えられることもできる。
【００３８】
モバイル機器も前記織物構造と光通信をするために受光部２２０、発光部２３５、および光拡散部２４５を備えている。各部分の機能は、織物構造に設置されている受光部２２５、発光部２３０、光拡散部２４０と同じように備えられることができる。
これにより、モバイル機器と衣服は、第１実施形態とは異なり、双方向に互いにデータ信号を送受信することができる。
【００３９】
以下図４および図５を参考して、前記織物構造およびモバイル機器の動作を説明する。まずユーザがモバイル機器２９０を制御するために、衣服にある織物型ボタンを押すと、入力信号４１０が発生する。符号化器４２０では前記ボタンで押した信号４１０の入力を受けて、前記信号データ４１０をチャネルエンコーディングする。この後、変調器４３０で前記チャネルエンコーディングされたデータを光信号に変調する。このように変調された光信号は、織物構造に伝えられ、織物構造の発光部２３０で発光する。前記発光部２３０で光信号が発光する時、光拡散部２４０によって光信号は広く拡散される。これは、光拡散部２４０が薄い面の形態で衣服上に広く分布しているためである。これにより、モバイル機器２９０がさらに効果的に光信号を受信することができるようになる。前記発光部２３０、光拡散部２４０は、信号を増幅させるための増幅手段をさらに含むことができる。このように送信された光信号５１０は、モバイル機器２９０の受光部２２０、５４０に受信される。このように受信された光信号５１０は、復調器５３０で復調され、復号化器５２０では復調器５３０で復調された信号を受けてチャネルデコーディングを行い、データを復元するようになる。このように復元されたデータによって、モバイル機器２９０の制御を行う。この後、モバイル機器から衣服にデータを伝送することもできる。例えば、モバイル機器の状態などを衣服のディスプレイ部に表示したり、ボタンの作動を制御することができる。このために、モバイル機器２９０は、発光部２３５を備え、図４のように符号化器、変調器を経て光信号を発光部２３５から送信する。前記送信された光信号を衣服の織物構造の受光部２２５で受信し、図５の復調器、復号化器を経てデータを伝達することができる。このように伝達されたデータは、衣服で必要な作業を行うのに使われる。また、衣服内にまた別の電子機器を備え、前記電子機器とモバイル機器２９０との通信を行うこともできる。本実施形態では衣服と記載したが、衣服だけに限定されず、カバン、帽子、テーブル掛け、カーテンなどの織物構造が付着することができる物品ならばどんなものでもよい。
【００４０】
＜第３実施形態＞
図３は、本発明の第３実施形態に係る衣服型コンピューティングシステムを説明するための例示図である。図６は、図３に係る本発明の動作を説明するためのブロック図である。
【００４１】
本発明の第３実施形態に係る衣服型コンピューティングシステムは、織物基盤の光通信インターフェース衣服に付着する２以上の織物構造を備える。前記第１実施形態および第２実施形態は、一つの織物構造と電子機器との通信を示しているが、第３実施形態は織物構造間の通信を示す。
【００４２】
まず図３を参照すると、織物構造は、内側の衣服３１０と外側の衣服３１５に各々存在する。これにより、一般ユーザが本発明で提示した装置を備えた衣服を複数の重ね着で着用し、内側の衣服から伝達しようとする信号を外側に伝達させる形態である。内側の衣服は、ユーザの生体信号を測定するセンサが構成されている形態が一般的な使用例といえる。また、外側の信号を内側に伝達するようにすることもできる。このような場合、両端で使う光学的通信方法の中心周波数を互いに異なるように設定し、光学的フィルタを使うことにより、相互干渉によるかく乱を回避することができる。本実施形態では、内側の衣服３１０と外側の衣服３１５と記載したが、これは上衣と下衣、衣服と帽子、他の織物構造でできた物品も含む。まず内側の衣服３１０は、受光部３２０、発光部３３０、および光拡散媒質３４０を備え、外側の衣服３１５は、受光部３２５、発光部３３５、および光拡散媒質３４５を備える。前記内側の衣服３１０と外側の衣服３１５で受光部３２０，３２５、発光部３３０，３３５および光拡散媒質３４０，３４５の機能は、前記の第１および第２実施形態と同じように構成されることができる。また、受光部、発光部および光拡散媒質は、これを制御するための制御部をさらに含むことができる。
【００４３】
図６を参考して、図３に係る第３実施形態の動作を説明する。内側の衣服３１０から外側の衣服３１５にデータを伝送する動作をまず説明する。まず伝送するデータ（織物ボタン部で発生した入力信号など）は、符号化器および変調器を経て光信号に変換される。このように変換された光信号は、内側の衣服３１０の発光部３３０を通じて発光し、前記発光した光は光拡散媒質３４０を通じて拡散する。このように発光した光信号６１０は、外側の衣服３１５に備えられている受光部３２５、６２０で受光される。受光部３２５は、一般的に光センサーからなっており、前記受信した光信号の信号が衣服を通過しながら弱くなるため、前記受光部３２５は光信号増幅器をさらに備えることができる。受光部３２５を通じて受光された光信号は、発光部３３５、６３０および光拡散媒質３４５を通じて再び発光し、これはまた別の織物構造に伝送されたり、電子機器に伝送されることができる。このとき、外側の衣服の織物構造では信号を変調したり復調する過程をさらに含むことができ、信号のエラーを減らすためにエラー修正などのデータ処理過程をさらに含むこともできる。
【００４４】
前記のような過程は、外側の衣服３１５から内側の衣服３１０にデータを伝送する場合にも同じように適用されることができる。すなわち、外側の衣服の発光部３３５および光拡散媒質３４５で発光した信号は、内側の衣服３１０の受光部３２０で受光され、データが伝送される。
【００４５】
このように、一つの衣服内に複数の織物構造を含んで厚い服や、上衣と下衣が分離した服の間でも通信することができ、また、織物形態の物品ならばどんなものでも、前記織物構造を用いて通信が可能になる。
【００４６】
図７は、携帯端末（または電子機器）と衣服間のデータ通信を簡略に構成したブロック図である。携帯端末７００から衣服７１０にデータを伝送する場合、入力データ７０１は、符号化器と変調器を含む信号生成部７０３を経て光信号が生成され、発光部７０５を通じて発光する。このように発光した信号は、衣服７１０の受光部７１１で受信され、信号復元部７１３を通じてデータに復元される。
【００４７】
一方、衣服７１０から携帯端末７００にデータを伝送する場合には、衣服７１０の信号生成部７１７で光信号が生成されて、衣服７１０の発光部７１５で発光し、これを携帯端末７００の受光部７０９で受光して、信号復元部７０８を経てデータが復元され、これにより、端末制御部７０７は携帯端末７００を制御するようになる。
【００４８】
前記携帯端末７００は、このように受光部、発光部、および光拡散部を備えており、前記構成要素は携帯端末の両表面に２以上設置されることができる。このようにすれば、携帯端末が衣服のポケットの中で裏返っている場合も容易に衣服と光通信が可能なためである。
【００４９】
また、電子機器に設置される前記光拡散部の場合には、電子機器の内部に設置されることもでき、外部に設置されることもできる。内部に設置される場合には、光通信が可能なように、電子機器の表面は透明な材質で形成することができる。また、光拡散部は前記と同じように薄い面形態で、側面発光型プラスチック光ファイバーまたはＥＬワイヤーで構成されることができ、光を広く拡散させるために、電子機器上で螺旋形またはジグザグ形態で広く分布されることができる。また、光拡散部のまた別の形態として、ＬＥＤやＩＲエミッタ素子を布の上にマトリックス形態に配置して構成することができる。
本実施形態では衣服と記載したが、衣服だけに限定されず、カバン、帽子、テーブル掛け、カーテンなどの織物構造が付着することができる物品ならばどんなものでもよい。
【００５０】
本発明に係る衣服型コンピューティングシステムでの光通信インターフェース衣服は、光信号を用いて携帯端末あるいは衣服の内・外着間の通信を行うため、直接的なコネクター連結やＲＦを用いた無線通信モジュールの使用なしに具現が可能であり、電磁波による人体への影響を減らすことができる。また、本発明の衣服型コンピューティングシステムは、衣服内のどんな部位にも適用されることができ、衣服と携帯端末が近接光通信を行うため通信の保安性に優れる。
【００５１】
本発明の一部ステップは、コンピュータが読み取ることができる記録媒体にコンピュータが読み取ることができるコードで具現することが可能である。コンピュータが読み取ることができる記録媒体は、コンピュータ・システムによって読み取ることができるデータが格納されるすべての種類の記録装置を含む。コンピュータが読み取ることができる記録媒体の例としては、ＲＯＭ、ＲＡＭ、ＣＤ−ＲＯＭ、ＣＤ−ＲＷ、磁気テープ、フロッピー（登録商標）ディスク、ＨＤＤ、光ディスク、光磁気保存装置などがあり得、また、キャリアウェーブ（例えば、インターネットを介した伝送）の形態で具現されるのも含む。また、コンピュータが読み取ることができる記録媒体は、ネットワークで連結されたコンピュータ・システムに分散され、分散方式でコンピュータが読み取ることができるコードで格納され実行されることができる。
【００５２】
以上のように、図面と明細書で最適の実施形態が開示された。ここで特定の用語が用いられたが、これは、単に本発明を説明するための目的で使われたものであり、意味の限定や特許請求の範囲に記載された本発明の範囲を制限するために使われたものではない。ゆえに、本技術分野の通常の知識を有する者ならば、これから多様な変形および均等な他実施形態が可能だという点を理解するであろう。したがって、本発明の真の技術的保護範囲は、添付された特許請求の範囲の技術的思想によって定められるべきである。
【符号の説明】
【００５３】
１００、７１０…衣服
１１０…ポケット
１２０、２２０、２２５、３２０、３２５、７０９、７１１…受光部
１３０、２３０、３３０、３３５、７０５、７１５…発光部
１４０、２４０…光拡散部
１５０、２５０…織物
１６０…ボタン
１９０、７００…携帯端末
２９０…モバイル機器
３１０…内側の衣服
３１５…外側の衣服
３４０、３４５…光拡散媒質
４１０…入力信号
４２０…符号化器
４３０…変調器
４４０…発光部
５１０、６１０…光信号
５２０…復号化器
５３０…復調器
７０１…入力データ
７０３、７１７…信号生成部
７０７…端末制御部
７０８、７１３…信号復元部
【図１】
2011071961.tif 000003
【図２】
2011071961.tif 000004
【図３】
2011071961.tif 000005
【図４】
2011071961.tif 000006
【図５】
2011071961.tif 000007
【図６】
2011071961.tif 000008
【図７】
2011071961.tif 000009